(57)【要約】【課題】  子機に親機が接続され、その親機を介して副親機が通話や映像の確認などを行うことができるインターホンシステムにおいて、拡張性を高め、低コスト化する。【解決手段】  親機Ｕ１を、ユーザインタフェイスを除く残余の回路で構成して、壁裏、天井裏、分電盤等の部屋Ｍ１〜Ｍ４外の邪魔にならない空間１４に設置し、前記部屋Ｍ１〜Ｍ４内に設置されるのは、相互に等しく構成された副親機Ｕ２〜Ｕ５のみとする。したがって、前記Ｕ１親機には、筐体内の空きスペース、放熱性、回路間の干渉などをむやみに気にすることなく、適切な筐体を用いて、必要な機能を適宜追加・更新することができ、拡張性に富んだシステムを実現することができる。一方、共通の室内機となる副親機Ｕ２〜Ｕ５は、共用化して低コスト化を図ることができとともに、親機Ｕ１との共通設計がなくなり、大幅に小型・薄型化することができ、デザイン性の高い商品を実現できる。【選択図】      図１
2006041893.tif 000002
【特許請求の範囲】
【請求項１】
子機に親機が接続され、その親機を介して１または複数の副親機が前記子機と通話可能になるインターホンシステムにおいて、
前記親機を、ユーザインタフェイスを除く残余の回路で構成し、壁裏、天井裏、床下または分電盤内に設置して成ることを特徴とするインターホンシステム。
【請求項２】
前記親機は、子機接続インタフェイスと、音声通信回路と、映像通信回路と、副親機への室内機接続インタフェイスと、プログラムおよびデータ記憶用のメモリと、該親機内の各部の動作を制御する制御回路と、機能拡張のための基板が接続可能な拡張インタフェイスと、該親機内の各部および子機へ電源供給を行う電源回路とを備えて構成されることを特徴とする請求項１記載のインターホンシステム。
【発明の詳細な説明】
【技術分野】
【０００１】
本発明は、音声とともに画像を伝送するようにしたインターホンシステムとして好適に実施されるインターホンシステムに関する。
【背景技術】
【０００２】
インターホンシステムでは、近年、屋外や玄関ホールなどに設置される子機にカメラを設け、室内に設置される親機に表示装置を設け、上記のように音声とともに画像を伝送することで、来訪者の音声に加えて容姿を確認できるようになっている。また、不審な物音などに気付いた居住者が、外部の様子を確認したりすることもできる。したがって、音声通話のみの構成に比べて、構成部品が多く、大型である。そのような大型のインターホン装置において、壁面埋込みタイプは、外観上すっきりしているけれども、設置工事には格段に手間がかかる。このため、施主や建築会社等の指定がないと、実際のインターホン装置の購入先である電気工事業者は、室内に露出するタイプを選択しているのが実情である。
【０００３】
一方、台所やリビングなどに設置されていたインターホン装置も、他の部屋からも上記来訪者への応対などを可能にするために、前記親機に加えて、副親機と称される室内設置の装置が増設可能となっている。前記副親機は、前記親機を中継して、子機との通話や映像の確認が可能になっている。そのような副親機を備えるインターホンシステムは、たとえば特許文献１に示されている。
【０００４】
図３は、前記特許文献１の図１の一部を抜き出して示すそのインターホンシステムの外観形状を示す図である。また、図４は、そのようなインターホンシステムの内部回路構成を示す図である。上述のように、屋外や玄関ホールなどに設置され、カメラ１、マイクロホン２およびスピーカ３を備える子機ｕ０は、壁裏や天井裏などを引き回されるたとえば２芯の信号線ｌ０を介して、部屋ｍ１内に設置される親機ｕ１に接続され、変調信号によって画像および音声が伝送されるようになっている。親機ｕ１は、表示装置４、マイクロホン５およびスピーカ６を備え、前記カメラ１による画像を確認しつつ、子機ｕ０との通話が可能となっている。この親機ｕ１から、前記壁裏や天井裏などを引き回されるたとえば２芯の信号線ｌ１，ｌ２，ｌ３を介して、他の部屋ｍ２，ｍ３，ｍ４内にそれぞれ設置される副親機ｕ２，ｕ３，ｕ４が縦続接続されており、これらの副親機ｕ２〜ｕ４でも、前記親機ｕ１を中継して、子機ｕ０との通話および画像の確認が可能となっている。
【特許文献１】特開２０００−１０１７３０号公報
【発明の開示】
【発明が解決しようとする課題】
【０００５】
上述のように構成されるインターホンシステムにおいて、図３からも理解されるように、親機ｕ１と副親機ｕ２〜ｕ４とは、筐体を始めとして、多くの部品が共用化されて、低コスト化が図られている。したがって、露出タイプで小型化が要求されるために、親機ｕ１には隙間なく部品が収納され、軽微なモデル変更で機能を拡張しようとしても、追加になる部品や基板の収納スペースを確保できない場合もある。また、放熱性や回路間の干渉なども考慮しなければならない。既に設置済の装置にも同様に、機能拡張のための部品を追加したり、或いは不具合対策部品などを追加したりするのが困難になることもある。さらにまた、そのように親機ｕ１と、構成部品の比較的少ない副親機ｕ２〜ｕ４との内部スペースの違いから、音響設計、構造設計、回路配置などの負担が大きく、上記のような部品の共用化によるコスト削減効果が充分ではないという問題もある。
【０００６】
本発明の目的は、拡張性に富み、低コスト化することができるインターホンシステムを提供することである。
【課題を解決するための手段】
【０００７】
本発明のインターホンシステムは、子機に親機が接続され、その親機を介して１または複数の副親機が前記子機と通話可能になるインターホンシステムにおいて、前記親機を、ユーザインタフェイスを除く残余の回路で構成し、壁裏、天井裏、床下または分電盤内に設置して成ることを特徴とする。
【０００８】
上記の構成によれば、屋外や玄関ホールなどに設置される子機に親機が接続され、その親機を介して１または複数の副親機が前記子機との間で、通話や映像の確認などを行うことができようにしたインターホンシステムにおいて、前記親機を構成する回路から、釦やスイッチ等の入力操作手段、マイクロホン、スピーカ、および表示装置ならびにそれらに伴う周辺回路などのユーザインタフェイス（ヒューマンインタフェイス）を除去し、該親機を前記ユーザインタフェイスを除く残余の回路で構成する。そして、その親機は、壁裏、天井裏、床下または分電盤内の邪魔にならない場所に設置し、室内に設置されるのは、相互に等しく構成される副親機のみとする。
【０００９】
したがって、前記壁裏、天井裏、床下または分電盤内の空間に設置される親機には、筐体内の空きスペース、放熱性、回路間の干渉などをむやみに気にすることなく、適切な筐体（目に付かない場所に設置されるので、意匠面や質感などを考慮する必要がなく、汎用の大き目の筐体）を用いて、必要な機能を適宜追加・更新することができ、拡張性に富んだインターホンシステムを実現することができる。一方、共通の室内機となる副親機は、互いに区別がないので、それらを共用化することができるとともに、音響設計、構造設計、回路配置などの負担も小さくなり、低コスト化を図ることができる。また、副親機は、子機や他の機器、たとえば外部への通報装置などとのインタフェイスが設けられていない分、従来の室内露出タイプのインターホン装置と比べて、大幅に小型・薄型化することができ、デザイン性の高い商品を実現することができる。
【００１０】
また、本発明のインターホンシステムでは、前記親機は、子機接続インタフェイスと、音声通信回路と、映像通信回路と、副親機への室内機接続インタフェイスと、プログラムおよびデータ記憶用のメモリと、該親機内の各部の動作を制御する制御回路と、機能拡張のための基板が接続可能な拡張インタフェイスと、該親機内の各部および子機へ電源供給を行う電源回路とを備えて構成されることを特徴とする。
【発明の効果】
【００１１】
本発明のインターホンシステムは、以上のように、屋外や玄関ホールなどに設置される子機に親機が接続され、その親機を介して１または複数の副親機が前記子機との間で、通話や映像の確認などを行うことができようにしたインターホンシステムにおいて、前記親機を構成する回路から、釦やスイッチ等の入力操作手段、マイクロホン、スピーカ、および表示装置ならびにそれらに伴う周辺回路などのユーザインタフェイス（ヒューマンインタフェイス）を除去して、該親機を前記ユーザインタフェイスを除く残余の回路で構成し、壁裏、天井裏、床下または分電盤内の邪魔にならない場所に設置し、室内に設置されるのは、相互に等しく構成される副親機のみとする。
【００１２】
それゆえ、前記壁裏、天井裏、床下または分電盤内の空間に設置される親機には、筐体内の空きスペース、放熱性、回路間の干渉などをむやみに気にすることなく、適切な筐体を用いて、必要な機能を適宜追加・更新することができ、拡張性に富んだインターホンシステムを実現することができる。一方、共通の室内機となる副親機は、互いに区別がないので、それらを共用化することができるとともに、音響設計、構造設計、回路配置などの負担も小さくなり、低コスト化を図ることができる。また、副親機は、子機や他の機器とのインタフェイスが設けられていない分、従来の室内露出タイプのインターホン装置と比べて、大幅に小型・薄型化することができ、デザイン性の高い商品を実現することができる。
【発明を実施するための最良の形態】
【００１３】
［実施の形態１］
図１は、本発明の実施の一形態に係るインターホンシステムの概略構成を示す図である。本インターホンシステムでも、子機Ｕ０は、屋外や玄関ホールなどに設置され、呼出し釦１０、カメラ１１、マイクロホン１２およびスピーカ１３を備え、壁裏や天井裏などを引き回されるたとえば２芯の信号線Ｌ０を介して、屋内に設置される親機Ｕ１に接続され、変調信号によって画像および音声が伝送されるようになっている。注目すべきは、本発明に係るインターホンシステムでは、前記親機Ｕ１には、通常のインターホン装置の親機の構成と比べて、釦やスイッチ等の入力操作手段、マイクロホン、スピーカ、および表示装置ならびにそれらに伴う周辺回路などのユーザインタフェイス（ヒューマンインタフェイス）が設けられておらず、前記ユーザインタフェイスを除く残余の回路で構成されていることである。そして、この親機Ｕ１は、壁裏、天井裏、床下または分電盤内の邪魔にならない空間１４に設置され、各部屋Ｍ１〜Ｍ４内に設置されるのは、相互に等しく構成される副親機Ｕ２〜Ｕ５のみとする。各副親機Ｕ２〜Ｕ５は、表示装置、マイクロホンおよびスピーカを備え、前記親機Ｕ１を介して、子機Ｕ０のカメラ１１による画像を確認しつつ、子機Ｕ０との通話が可能となっている。前記親機Ｕ１から各副親機Ｕ２〜Ｕ５は、前記壁裏や天井裏などを引き回されるたとえば２芯の内線用の信号線Ｌ１〜Ｌ４を介して縦続接続されている。
【００１４】
図２は、本発明に係る親機Ｕ１および副親機Ｕ２，Ｕ３の具体的構成を示すブロック図である。図１に対応する部分には同一の参照符号を付して示す。残余の副親機Ｕ４，Ｕ５は、副親機Ｕ２，Ｕ３と同様に構成され、図示および説明を省略する。親機Ｕ１は、子機接続インタフェイス２１と、音声通信回路である音声復調変調回路２２と、映像通信回路である映像復調回路２３と、副親機Ｕ２への室内機接続インタフェイス２４と、ＲＯＭなどのプログラム記憶用のメモリ２５と、ＲＡＭなどのデータ記憶用のメモリ２６と、該親機Ｕ１内の各部の動作を制御するＣＰＵ２７と、機能拡張のための基板が接続可能な拡張インタフェイス２８と、該親機Ｕ１内の各部および子機Ｕ０へ電源供給を行う電源回路２９とを備えて構成される。
【００１５】
一方、副親機Ｕ２は、音声復調変調回路３２と、映像復調回路３３と、音声処理回路３４と、映像処理回路３５と、親機Ｕ１や副親機Ｕ３への室内機接続インタフェイス３６と、マイクロホン４１と、受話回路４２と、スピーカ４３と、送話回路４４と、バックライトを含む液晶パネルから成る液晶モジュール４５と、その表示回路４６および駆動回路４７と、発光ダイオードなどから成る表示回路４８と、タッチパネルやスイッチなどから成る入力操作回路４９と、ディップスイッチなどから成り、アドレスやＩＤを設定するための設定用インタフェイス５０と、該副親機Ｕ２内の各部の動作を制御するＣＰＵ５１と、ＲＯＭなどのプログラム記憶用のメモリ５２と、ＲＡＭなどのデータ記憶用のメモリ５３と、該副親機Ｕ２内の各部へ電源供給を行う電源回路５４とを備えて構成される。副親機Ｕ３は、副親機Ｕ２と同一構成であり、対応する部分には、同一の参照符号を付して示す。
【００１６】
上述のように構成されるインターホンシステムにおいて、子機Ｕ０側の呼出し釦１０が操作されたことを子機接続インタフェイス２１を介して親機Ｕ１側のＣＰＵ２７が検知すると、もしくは副親機Ｕ２側の入力操作回路４９の通話釦が操作されたことをＣＰＵ５１から室内機接続インタフェイス３６，２４を介してＣＰＵ２７が検知すると、子機接続インタフェイス２１、音声復調変調回路２２、室内機接続インタフェイス２４，３６、音声復調変調回路３２、音声処理回路３４、受話回路４２および送話回路４４を介して、子機Ｕ０側のマイクロホン１２およびスピーカ１３ならびに副親機Ｕ２側のマイクロホン４１およびスピーカ４３を使用して通話が可能になるとともに、子機接続インタフェイス２１、映像復調回路２３、室内機接続インタフェイス２４，３６、映像復調回路３３、映像処理回路３５、表示回路４６および駆動回路４７を介して、カメラ１１による撮像画像がＬＣＤモジュール４５に表示される。また、副親機Ｕ２側で、入力操作回路４９のモニタ釦が操作されても、前記カメラ１１による撮像画像がＬＣＤモジュール４５に表示され、居住者が不審な物音に気付くなどして、密かに外の様子を監視することもできるようになっている。
【００１７】
また、他の副親機Ｕ３〜Ｕ５側の入力操作回路４９で、子機Ｕ０側の呼出しに通話釦で応答したり、モニタ釦が操作されると、上述の経路に、さらに中継となる副親機の室内機接続インタフェイス３６を介在して、通話が可能になるとともに、画像表示が行われる。
【００１８】
さらにまた、副親機Ｕ２〜Ｕ５側で、入力操作回路４９の通話釦が操作されると、マイクロホン４１およびスピーカ４３を使用して、該副親機Ｕ２〜Ｕ５同士の内線通話が可能になる。
【００１９】
以上のように、本発明に係るインターホンシステムでは、親機Ｕ１を構成する回路から、釦やスイッチ等の入力操作手段、マイクロホン、スピーカ、および表示装置ならびにそれらに伴う周辺回路などのユーザインタフェイスを除去して、該親機Ｕ１を前記ユーザインタフェイスを除く残余の回路で構成するとともに、該親機Ｕ１を、壁裏、天井裏、床下または分電盤内の邪魔にならない場所に設置し、室内に設置されるのは、相互に等しく構成される副親機Ｕ２〜Ｕ５のみとする。
【００２０】
したがって、前記壁裏、天井裏、床下または分電盤内の空間に設置される親機Ｕ１には、筐体内の空きスペース、放熱性、回路間の干渉などをむやみに気にすることなく、適切な筐体（目に付かない場所に設置されるので、意匠面や質感などを考慮する必要がなく、汎用の大き目の筐体）を用いて、拡張インタフェイス２８から、必要な機能を適宜追加・更新することができ、拡張性に富んだインターホンシステムを実現することができる。一方、共通の室内機となる副親機Ｕ２〜Ｕ５は、互いに区別がないので、それらを共用化することができるとともに、音響設計、構造設計、回路配置などの負担も小さくなり、低コスト化を図ることができる。また、副親機Ｕ２〜Ｕ５は、親機Ｕ１との共通設計がなくなり、子機や他の機器、たとえば外部への通報装置などとのインタフェイスが設けられていない分、従来の室内露出タイプのインターホン装置と比べて、大幅に小型・薄型化することができ、デザイン性の高い商品を実現することができる。
【００２１】
本発明に係るインターホンシステムでは、親機Ｕ１および副親機Ｕ２〜Ｕ５は、上述の図２で示す構成に限らず、たとえば副親機Ｕ２〜Ｕ５にカメラを設ける等、機能に合わせて他の構成が追加されたり、或いは図２の構成から、表示回路４８を省略する等、一部が省略されてもよい。
【図面の簡単な説明】
【００２２】
【図１】本発明の実施の一形態に係るインターホンシステムの概略構成を示す図である。
【図２】図１におけるインターホンシステムの親機および副親機の具体的構成を示すブロック図である。
【図３】従来技術のインターホンシステムの外観形状を示す図である。
【図４】従来技術のインターホンシステムの内部回路構成を示す図である。
【符号の説明】
【００２３】
１０    呼出し釦
１１    カメラ
１２，４１    マイクロホン
１３，４３    スピーカ
１４    空間
２１    子機接続インタフェイス
２２，３２    音声復調変調回路
２３，３３    映像復調回路
２４，３６    室内機接続インタフェイス
２５，２６，５２，５３    メモリ
２７，５１    ＣＰＵ
２８    拡張インタフェイス
２９，５４    電源回路
３４    音声処理回路
３５    映像処理回路
４２    受話回路
４４    送話回路
４５    液晶モジュール
４６    表示回路
４７    駆動回路
４８    表示回路
４９    入力操作回路
５０    設定用インタフェイス
Ｌ０〜Ｌ４    信号線
Ｍ１〜Ｍ４    部屋
Ｕ０    子機
Ｕ１    親機
Ｕ２〜Ｕ５    副親機
【図１】
2006041893.tif 000003
【図２】
2006041893.tif 000004
【図３】
2006041893.tif 000005
【図４】
2006041893.tif 000006